(57)【特許請求の範囲】
【請求項１】
開口部を有する受枠と、この受枠の開口部に開閉可能に嵌合される鉄蓋体と、この鉄蓋体の一側部を上記受枠に対して開閉可能に連結する蝶番と、上記鉄蓋体の他側部に設けられた鍵孔の近傍の裏面に揺動可能に枢着され、上記受枠の内周面に設けられた係止突起に係脱可能に係合する施錠金具とを具備し、
かつ、上記施錠金具は、上記鉄蓋体の裏面に突設されるブラケットに枢着される枢軸、上記係止突起に係合可能なフック部、及び必要に応じて利用される工具の受け部を有する一対の施錠半体と、
両施錠半体同士を連結する連結部材と、
上記フック部を係止突起に係合させる方向に弾性力を付勢するばね部材とを具備し、
上記ばね部材は、施錠半体の枢軸及び鉄蓋体のブラケットに設けられた取付孔の間に介装されるコイル部と、このコイル部の一端から延在して鉄蓋体の裏面に圧接される第１の係止部と、コイル部の他端から延在して施錠半体のフック部と反対側面に回り込んで係合する第２の係止部とを具備することを特徴とするマンホール鉄蓋の施錠装置。
【請求項２】
上記施錠半体間に着脱可能に枢着されると共に、鍵孔を塞ぐ栓部、及び該栓部が工具によって押し下げられた際に施錠半体に係合する係合部を有する栓体をさらに具備する請求項１記載のマンホール鉄蓋の施錠装置。
【発明の詳細な説明】
【０００１】
【発明の属する技術分野】
この発明は、マンホール鉄蓋の施錠装置に関するものであって、詳細には、例えば下水道における地下埋設物や地下構造施設等と地上とを連通する開口部を閉塞するマンホール鉄蓋の施錠装置に関するものである。
【０００２】
【従来の技術】
従来のマンホール鉄蓋の施錠装置は、例えば下水道等の地下構造物に連通する略円形の開口部を有する受枠と、この受枠の開口部を開閉すると共に、受枠との施錠位置と解錠位置に開閉可能に嵌合される鉄蓋体と、この鉄蓋体を受枠に対して開閉可能に連結する蝶番とを具備し、更に、受枠と鉄蓋体との間において蝶番と反対側の部位に施錠金具が設けられた構造となっているものがある（特許第２９３５２０９号参照）。
【０００３】
そして、この種の施錠装置は、栓体を用いた場合であって、かつ鉄蓋体が受枠の開口部を閉じているとき、栓体の上面が鉄蓋体の上面と略一致した高さとなり、鉄蓋体の鍵孔が閉ざされて雨水が受枠内に浸入するのを抑制できるようになっている。
【０００４】
また、栓体を用いた場合、バール等の工具によって栓体を押し下げて施錠半体を回動し、施錠半体のフック部を受枠の係止突起より外して解錠することができるようになっている。一対の施錠半体は連結部材によって連結されているため、鉄蓋体の両側に突設した枢軸を、施錠半体の凹部に嵌め込むだけで栓体を施錠半体と共に簡単に回転できるよう軸着している。
【０００５】
一方、栓体を鉄蓋体より取り外した場合であって、かつ一対の施錠半体を用いた場合、鉄蓋体の鍵孔がマンホール内外を連通させ、路上に降り注いだ雨水を鍵孔より受枠内に導入することができるようになっている。
【０００６】
また、栓体を鉄蓋体より取り外した場合、バール等の工具によって施錠半体を回動し、施錠半体のフック部を受枠の係止突起より外して解錠することができるようになっている。
【０００７】
【発明が解決しようとする課題】
しかしながら、上記に示す従来の施錠装置は、栓体を用いた場合、大雨等が降ることによって鉄蓋体に下方に向かう高圧水が作用すると、その高圧水によって栓体が下方に押圧されると共に、その栓体によって施錠半体のフック部が受枠の係止突起から外れる方向に回ってしまい、係止突起との間で解錠するおそれがあった。
【０００８】
また、マンホール鉄蓋の設置場所が傾斜地の場合、つまり、一対の施錠半体及び栓体側が蝶番側より高い位置に位置するよう、傾斜地にマンホール鉄蓋が設置された場合、施錠半体のフック部が自重によって受枠の係止突起から外れる方向に自重で回ってしまい、施錠半体の自転によって解錠するというおそれがあった。特に、傾斜地に設置された場合、栓体に高圧水が作用すると、栓体が下方に押圧されて、施錠半体のフック部が受枠の係止突起から容易に外れるおそれがある。
【０００９】
この発明は、上記事情に鑑みてなされたものであり、鉄蓋体に高圧水がかかっても、また傾斜地に設置されてあっても、それらに拘わることなく、施錠部が解錠するのを確実に防止することができ、信頼性の高いマンホール鉄蓋の施錠装置を提供することを目的とするものである。
【００１０】
【課題を解決するための手段】
上記課題を解決するために、この発明においては、開口部を有する受枠と、この受枠の開口部に開閉可能に嵌合される鉄蓋体と、この鉄蓋体の一側部を上記受枠に対して開閉可能に連結する蝶番と、上記鉄蓋体の他側部に設けられた鍵孔の近傍の裏面に揺動可能に枢着され、上記受枠の内周面に設けられた係止突起に係脱可能に係合する施錠金具とを具備し、
かつ、上記施錠金具は、上記鉄蓋体の裏面に突設されるブラケットに枢着される枢軸、上記係止突起に係合可能なフック部、及び必要に応じて利用される工具の受け部を有する一対の施錠半体と、両施錠半体同士を連結する連結部材と、上記フック部を係止突起に係合させる方向に弾性力を付勢するばね部材とを具備し、上記ばね部材は、施錠半体の枢軸及び鉄蓋体のブラケットに設けられた取付孔の間に介装されるコイル部と、このコイル部の一端から延在して鉄蓋体の裏面に圧接される第１の係止部と、コイル部の他端から延在して施錠半体のフック部と反対側面に回り込んで係合する第２の係止部とを具備することを特徴とする。また、この発明においては、上記施錠半体間に着脱可能に枢着されると共に、鍵孔を塞ぐ栓部、及び該栓部が工具によって押し下げられた際に施錠半体に係合する係合部を有する栓体をさらに具備することができる。
【００１１】
この発明において、施錠金具が、上述したように一対の旋回半体及び連結部材を具備する他、一対の旋回半体のフック部を受枠の係止突起に係合させる方向に弾性力を付勢するばね部材をも具備しているので、鉄蓋体が受枠の開口部を閉じた状態にあるとき、大雨等によって鉄蓋体の鍵孔から栓体に高圧力が作用しても、ばね部材の弾性力で常に鉄蓋体を受枠に強制的に施錠状態にさせておくことができる。
【００１２】
また、マンホール鉄蓋が傾斜地に設置されても、つまり、施錠金具側が蝶番の位置より高い位置となるようにマンホール鉄蓋が設置されても、上述のように、ばね部材の弾性力で鉄蓋体を受枠の開口部に強制的に施錠しているので、鉄蓋体が受枠から開くのを確実に防止することができる。
【００１３】
したがって、従来技術のように高圧水が栓体に作用したとしても、また傾斜状態で設置されたとしても、それら拘わることなくフック部が係止突起から外れることを確実に防止でき、施錠機能としての信頼性を高めることができる。
【００１４】
また、従来技術では、一対の旋回半体に鉄蓋体の錘りとしての機能を持たせるため、旋回半体のみならず栓体も重くなるように形成されていたが、上述のように、ばね部材の弾性力を利用して施錠できるように構成したので、施錠金具全体を軽量化することができる。
【００１５】
また、この発明において、上記ばね部材は、上記のとおり、施錠半体の枢軸及び上記鉄蓋体のブラケットに設けられた取付孔の間に介装されるコイル部と、このコイル部の一端から延在して鉄蓋体の裏面に圧接される第１の係止部と、コイル部の他端から延在して施錠半体のフック部と反対側面に回り込んで係合する第２の係止部とを具備する。
【００１６】
このように構成することにより、コイル部が施錠半体の枢軸及び鉄蓋体のブラケットに設けられた取付孔の間に介装されるので、ばね部材の配設スペースを小さくすることができ、施錠金具をコンパクトにすることができる。
【００１７】
【発明の実施の形態】
以下、この発明のマンホール鉄蓋の施錠装置について、添付図面に基づいて詳細に説明する。
【００１８】
図１は、この発明の第一実施形態の施錠装置を具備するマンホール鉄蓋の施錠状態を示す概略断面図、図２は、同じくマンホール鉄蓋の施錠状態を示す要部断面図、図３は、同じくマンホール鉄蓋の解錠状態を示す要部断面図、図４は、この発明の施錠装置の取付状態の一部を断面で示す底面図、図５は、上記施錠装置の斜視図、図６は、上記施錠装置の分解斜視図である。
【００１９】
上記施錠装置は、図１及び図２に示すように、地下構造物と連通する略円形の開口部１１を有する受枠１０と、この受枠１０の開口部１１を開閉すると共に、受枠１０との施錠位置と解錠位置に開閉可能に嵌合される鉄蓋体２０とで主に構成されている。
【００２０】
そして、鉄蓋体２０と受枠１０とは、受枠１０に設けられた蝶番受座３３に着脱可能に連結する蝶番３０を介して鉄蓋体２０が開閉可能に形成されている。また、鉄蓋体２０における蝶番３０と反対側の周縁部には、バール等の工具Ｋ（図３参照）が挿入されるよう鍵孔２１が設けられている。
【００２１】
この場合、上記受枠１０の開口部１１が上端に向かって拡径するテーパをなすと共に、鉄蓋体２０が裏面側に向かって縮径するテーパ面をなしており、鉄蓋体２０の外周と受枠１０の内周面とがテーパ面で嵌合して、がたつきが防止されるようになっている。なお、工具Ｋは、作業員が鉄蓋体２０を受枠１０から開いたり閉じたりする際に使用される。
【００２２】
また、鉄蓋体２０の裏面縁部には、受枠１０の内周面に設けられた係止突起１２に係脱可能に係合する施錠金具４０が具備されている。この場合、施錠金具４０は、一対の施錠半体４１と、鉄蓋体２０の鍵孔２１を塞ぐ栓体５０と、一対の施錠半体４１を連結するための連結部材（符示せず）とを具備している。
【００２３】
一対の施錠半体４１は、図４〜図６に示すように、鉄蓋体２０の錘りとして機能するものであって、それぞれ左右対称の形状をなしており、その両側に鉄蓋体２０の裏面に突設したブラケット２２の取付孔２３，２４に枢着される枢軸４２，４３が設けられている。また、施錠半体４１の下部には、受枠１０の係止突起１２に係合可能な鉤針状に形成されたフック部４４が設けられている。係止突起１２は、図１〜図３に示すように、受枠１０の内周面における施錠半体４１と対応する位置に、施錠半体４１方向に向かうように突設されている。また、施錠半体４１の内側には、直線状の平面をなす工具の受け部４５が形成されている。この受け部４５は、後述する栓体５０を使用しないとき、利用されるものであり、上端が平面状をなしている。なお、施錠半体４１同士の対向する当接面のいずれか一方には、図６に示すように、位置決め用の突起４１ａが突設されており、他方の当接面には突起４１ａと嵌合する凹部（図示せず）が設けられている。この位置決め用突起４１ａと凹部は必ずしも設ける必要はない。
【００２４】
一方、栓体５０は、マンホール鉄蓋の使用目的に応じて利用されるものであり、一対の施錠半体４１間に着脱可能に枢着されている。この場合、栓体５０は、鉄蓋体２０の鍵孔２１を塞ぐことによって鍵孔２１から雨水等が浸入するのを抑制するためのものであって、一端部に鍵孔２１を塞ぐ大きさの平板状をなす栓部５１が形成されており、その他端部の両側部に側方に延びる軸５２がそれぞれ形成され、それら軸５２が図６に示すように、各施錠半体４１の内側に設けられた凹部４６に嵌合することにより、各施錠半体４１間で回動できるように枢着されている。
【００２５】
また、栓体５０は、図３に示すように、工具Ｋによって栓部５１が押し下げられると、軸５２を中心として反時計方向に回動するが、その際、図６に示すように、軸５２の一部を膨出して形成された係合部５３の底面５４が、施錠半体４１の切欠部４７と係合して施錠半体４１を反時計方向に回動し、施錠半体４１のフック部４４が受枠１０の係止突起１２との係合から解除されるようになっている。
【００２６】
上記連結部材は、図４〜図６に示すように、ボルト５８及びナット５９からなっており、各施錠半体４１に貫通して設けられた挿通孔４８にボルト５８の先端側を通すと共に、そのボルト５８の先端部にナット５９を締め付けることにより、両施錠半体４１同士を互いに密接した状態で連結するようになっている。この場合、挿通孔４８の一端側には、六角形状の凹部４８ａが連設されており、この凹部４８ａ内にナット５９が収納されるようになっている（図５参照）。
【００２７】
更に、施錠金具４０は、施錠半体４１のフック部４４を受枠１０の係止突起１２に係合させる方向に付勢するばね部材６０をも具備している。このばね部材６０は、図６に示すように、コイル部６１と、このコイル部６１の一端から延在する第１の係止部６２と、コイル部６１の他端から延在する第２の係止部６３とを具備している。
【００２８】
このばね部材６０は、図４に示すように、コイル部６１が施錠半体４１の枢軸４２及びブラケット２２に設けられた取付孔２３の間に介装され、しかも図２及び図３に示すように、第１の係止部６２が鉄蓋体２０の裏面に圧接されると共に、第２の係止部６３が施錠半体６１のフック部４４と反対側面に設けられた引掛け部４９に係合することにより、その弾性力で施錠半体４１のフック部４４を係止突起１２に係合させる方向に付勢されている。そのため、ばね部材６０は、予め、ねじり力を充分蓄えた状態で施錠半体４１の枢軸４２および取付孔２３の間に介装されている。この場合、枢軸４２は、ばね部材６０を介装する関係上、他方の枢軸４３より大きめに形成され、また枢軸４２と嵌合する取付孔２３もそれに対応した大きさに形成されている。
【００２９】
ばね部材６０を取り付けるには、第１の係止部６２をブラケット２２の内方側から取付孔２３を貫通させるようにしてコイル部６１を取付孔２３内に位置させた後、ブラケット２２の外方に突出する第１の係止部６２を鉄蓋体２０の裏面に圧接させた状態で、コイル部６１内に一方の施錠半体４１の枢軸４２を挿入して、枢軸４２及び取付孔２３間にコイル部６１を介装させる。このとき、第２の係止部６３を施錠半体４１のフック部４４と反対側面に設けられた引掛け部４９に係合する。
【００３０】
なお、施錠半体４１の枢軸４２を取付孔２３内に挿入する前に、予め両施錠半体４１間に栓体５０を回動可能に枢着、すなわち栓体５０の軸５２を施錠半体４１に設けられた凹部４６に嵌合しておく。この状態で、他方の施錠半体４１の枢軸４３を取付孔２４内に挿入すると共に、一方の施錠半体４１の枢軸４２を取付孔２３内に挿入する。この際、取付孔２４がブラケット２２の内方側に向かって拡径するテーパ状に形成される一方、枢軸４３が先端に向かって縮径するテーパ状に形成されているので、施錠半体４１のブラケット２２への取付を簡単にすることができる。
【００３１】
このように取り付けられた両施錠半体４１は、ボルト５８及びナット５９によって連結される。
【００３２】
なお、上記蝶番３０は、図１に示すように、鉄蓋体２０における施錠金具４０と反対側の裏面周縁部に設けられたブラケットに枢着されて下方に向かって突設される蝶番本体３１と、この蝶番本体３１の中間部よりやや下方側から突出する係止翼片３２とを具備している。このように構成される蝶番３０を着脱可能に係合する蝶番受座３３は、受枠１０の内周面から内方に向かって下り傾斜状に突出する一対の側片３４と、両側片３４の先端部を連結する連結片３５とからなる平面視略コ字状の受け座本体３６と、この受け座本体３６の連結片３５と対向する受枠１０の内周面側に突設され、かつ係止翼片３２が係合可能な係止片３７とで構成されて、蝶番３０の受け口（符示せず）を形成している。
【００３３】
上記のように構成されたマンホール鉄蓋は、図１に示すように、受枠１０に蝶番３０によって鉄蓋体２０が開閉可能に連結され、また栓体５０を有する施錠金具４０においては、図１及び図２に示すように、施錠半体４１のフック部４４が受枠１０の係止突起１２に係合されると共に、栓体５０の栓部５１が鉄蓋体２０の鍵孔２１を塞いだ状態にあるものとする。
【００３４】
このとき、バール等の工具Ｋの先端部Ｋ１を図３に示すように、鉄蓋体２０の鍵孔２１に挿入して、その先端部Ｋ１を鉄蓋体２０の裏面に設けられた工具用引き掛け部２６に引き掛け、その状態で工具Ｋの踵部Ｋ２によって栓体５０の栓部５１を押し下げると、栓体５０が図３において反時計方向に回動すると共に、栓体５０の回動に伴い軸５２の係合部５３の底面５４が切欠部４７に係合し、栓体５０と共に施錠半体４１も反時計方向に回動することにより、旋回半体４１のフック部４４が受枠１０の係止突起１２から外れて係合が解除される。
【００３５】
このようにして、施錠金具４０のフック部４４と受枠１０の係止突起１２との係合が解除された時点で、工具Ｋを持ち上げると、受枠１０の開口部１１に対し蝶番３０を中心として鉄蓋体２０の一端側を開くことができる。
【００３６】
一方、鉄蓋体２０が上述したように受枠１０から開いた状態にあるとき、上述と逆の手順で行うことにより、鉄蓋体２０を受枠１０の元の位置に戻す。つまり、工具Ｋを下げて鉄蓋体２０を受枠１０の開口部１１に嵌め込み、かつ工具Ｋの先端部を工具用引掛け部２６から外して鍵孔２１から取り出すと、施錠金具４０は、施錠半体４１の枢軸４２に介装されているばね部材６０の弾性力が作用し、施錠半体４１が図３において時計方向に回動することにより、施錠半体４１のフック部４４の先端部が受枠１０の係止突起１２に係合すると共に、その施錠半体４１の時計方向の回動に伴い栓体５０も時計方向に回動して栓体５０の栓部５１が鉄蓋体２０の鍵孔２１の位置まで浮き上がり、栓部５１が鍵孔２１を塞ぐこととなる。これにより、鍵孔２１が栓体５０によって塞がれるので、雨水等が鉄蓋体２０の上面から下方に浸入するのを抑制することができる。
【００３７】
この実施形態の施錠金具４０においては、上述のように、一対の旋回半体４１と、栓体５０と、ボルト５８，ナット５９からなる連結部材とを具備する他、一対の旋回半体４１のフック部４４を受枠１０の係止突起１２に係合させる方向に弾性力を付勢するばね部材６０をも具備しているので、鉄蓋体２０が受枠１０の開口部１１を閉じた状態にあるとき、大雨等によって鉄蓋体２０の鍵孔２１から栓体５０に高圧力が作用しても、ばね部材６０の弾性力で常に鉄蓋体２０を受枠１０に強制的に施錠状態にさせておくことができる。
【００３８】
また、マンホール鉄蓋が傾斜地に設置されても、つまり、施錠金具４０側が蝶番３０の位置より高い位置となるようにマンホール鉄蓋が設置されても、上述のように、ばね部材６０の弾性力で鉄蓋体２０を受枠１０の開口部１１に強制的に施錠しているので、鉄蓋体２０が受枠１０から開くのを確実に防止することができる。
【００３９】
したがって、従来技術のように高圧水が栓体に作用したとしても、また傾斜状態で設置されたとしても、それら拘わることなくフック部４４が係止突起１２から外れるのを確実に防止することができ、施錠機能としての信頼性を高めることができる。
【００４０】
更に、従来技術では、一対の施錠半体４１に鉄蓋体２０の錘りとしての機能を持たせるため、施錠半体４１のみならず栓体５０も重くなるように形成されていたが、上述のように、ばね部材６０の弾性力を利用して施錠できるように構成したので、施錠金具４０全体を軽量化することができる。
【００４１】
また更に、ばね部材６０として、コイル部６１と、その一端に延在する第１の係止部６２と、その他端に延在する第２の係止部６３とを具備し、コイル部６１が施錠半体４１の枢軸４２及び鉄蓋体２０のブラケット２２に設けられた取付孔２３の間に介装されているので、ばね部材６０の配設スペースを小さくすることができると共に、施錠金具４０をコンパクトにすることができる。
【００４２】
なお、図示実施形態においては、ばね部材６０が一対の施錠半体４１のうち、一方の施錠半体４１の枢軸４２及び取付孔２３間に介装された例を示したが、他方の施錠半体４１の枢軸４３及び取付孔２４間にも設けてもよいのは勿論である。
【００４３】
以上の実施形態においては、施錠金具４０として、栓体５０を用いた例を示したが、次に栓体５０を使用しない場合について述べる。
【００４４】
図７〜図９は、第二実施形態を示している。すなわち、第二実施形態の施錠金具４０は、一対の施錠半体４１と、これら一対の施錠半体４１同士を互いに連結する連結部材としてのボルト５８，ナット５９と、ばね部材６０とを具備している。そして、図７に示すように、受枠１０の開口部１１に蝶番３０を介して鉄蓋体２０が閉じられると共に、施錠金具４０によって一対の施錠半体４１のフック部４４が受枠１０の係止突起１２に係合された状態にあるとき、鉄蓋体２０の鍵孔２１が開放されることにより、鉄蓋体２０上の雨水を鍵孔２１から積極的に落とし込むようになっており、雨水管用として利用される。
なお、これら一対の施錠半体４１と、連結部材としてのボルト５８及びナット５９と、ばね部材６０とは図９及び図１０に示すように構成されており、上述した第一実施形態と全く同様であるので、ここではその説明を省略する。
【００４５】
図７に示す状態から施錠金具４０を解錠するには、バール等の工具Ｋの先端部Ｋ１を鉄蓋体２０の鍵孔２１から挿入して、その踵部Ｋ２を一対の施錠半体４１の受け部４５に押し付けると共に、工具Ｋの先端部Ｋ１を鉄蓋体２０の裏面に設けられている工具引掛け部２６に引っ掛け、その後、踵部Ｋ２によって受け部４５を押し下げると、一対の施錠半体４１が反時計方向に回動してフック部４４の先端部が受枠１０の係止突起１２から外れて係合が解除され、この状態で鉄蓋体２０を持ち上げることにより、鉄蓋体２０が蝶番３０を中心として開く。
【００４６】
また、鉄蓋体２０を閉じるには、上記と逆の手順を行い、工具Ｋの先端部Ｋ１を鍵孔２１から抜くと、ばね部材６０の弾性力により、施錠半体４１のフック部４４の先端部が時計方向に回動し、受枠１０の係止突起１２に係合することにより、施錠することができる。
【００４７】
第二実施形態によれば、工具Ｋを用いて一対の施錠半体４１の受け部４５を押し下げることにより、施錠半体４１をばね部材６０の弾性力に抗し係合解除する方向に回動させることができる。したがって、マンホール鉄蓋の利用目的に応じ栓体５０を用いる場合と用いない場合とに拘わらず、ばね部材６０の弾性力で鉄蓋体２０を受枠１０に施錠することができるので、基本的には一実施形態と同様の効果を得ることができる。
【００４８】
【発明の効果】
以上に説明したように、この発明は上記のように構成されているので、以下のような優れた効果が得られる。
【００４９】
（１）受枠と鉄蓋体と蝶番と施錠金具とを具備し、かつ、施錠金具が一対の施錠半体のフック部を係止突起に係合させる方向に弾性力を付勢するばね部材を具備するように構成したので、高圧水が栓体に作用したとしても、また傾斜状態で設置されたとしても、それらに拘わることなくフック部が係止突起から外れるのを確実に防止することができ、施錠機能としての信頼性を高めることができる効果があり、更に、ばね部材の弾性力を利用して施錠できるように構成したので、施錠装置全体を軽量化することができる効果もある。
【００５０】
（２）ばね部材が、施錠半体の枢軸及び鉄蓋体のブラケットに設けられた取付孔の間に介装されたコイル部と、このコイル部の一端から延在して鉄蓋体の裏面に圧接される第１の係止部と、コイル部の他端から延在して施錠半体のフック部と反対側面に回り込んで係合する第２の係止部とを具備するので、上記（１）に加えて、更にばね部材の配設スペースを小さくすることができると共に、施錠金具をコンパクトにすることができる。
【図面の簡単な説明】
【図１】この発明の第一実施形態の施錠装置を具備するマンホール鉄蓋の施錠状態を示す概略断面図である。
【図２】同じくマンホール鉄蓋の施錠状態を示す要部断面図である。
【図３】同じくマンホール鉄蓋の解錠状態を示す要部断面図である。
【図４】この発明の施錠装置の取付状態の一部を断面で示す底面図である。
【図５】この発明における施錠金具の斜視図である。
【図６】上記施錠金具の分解斜視図である。
【図７】この発明の第二実施形態の施錠装置を具備するマンホール鉄蓋の施錠状態を示す要部断面図である。
【図８】同じくマンホール鉄蓋の解錠状態を示す要部断面図である。
【図９】第二実施形態の施錠金具の斜視図である。
【図１０】第二実施形態の施錠金具の分解斜視図である。
【符号の説明】
１０  受枠
１１  開口部
１２  係止突起
２０  鉄蓋体
２１  鍵孔
２２  ブラケット
２３，２４  取付孔
３０  蝶番
４０  施錠金具
４１  一対の施錠半体
４２，４３  枢軸
４４  フック部
４５  工具の受け部
４６  凹部
４７  切欠部
４８  挿通孔
５０  栓体
５１  栓部
５２  軸
５３  係合部
５８  ボルト（連結部材）
５９  ナット（連結部材）
６０  ばね部材
６１  コイル部
６２  第１の係止部
６３  第２の係止部
Ｋ  工具
【図１】
0004551024.tif 000002
【図２】
0004551024.tif 000003
【図３】
0004551024.tif 000004
【図４】
0004551024.tif 000005
【図５】
0004551024.tif 000006
【図６】
0004551024.tif 000007
【図７】
0004551024.tif 000008
【図８】
0004551024.tif 000009
【図９】
0004551024.tif 000010
【図１０】
0004551024.tif 000011